(57)【要約】【課題】  シャワー器具は、一般的に洗浄用品類で身体を洗浄してから別途、シャワー器具でシャワーを浴びる二分化行動と身体洗浄時に身体の届きにくい部分で難儀して、不便さがあるという不都合を解決すること。【解決手段】  シャワーヘッド本体の先端に突起した状態で挿入される各種洗浄用品の洗浄部が、身体のどの部分にも届いて、シャワーヘッド本体とシャワーホース間がつながれた状態で洗浄できるようにし、各種サイズのシャワーヘッド本体部を設け、シャワーヘッド本体部を洗浄できやすいように適度な曲線で長くした形状のものにし、シャワーヘッド本体部単品でも洗浄ができ、シャワーホースを適度に長くして、耐久性のあるフレキシブルなものにすることで、一つのシャワーヘッド本体を利用して、洗浄とシャワーが合理的に併有することにより、この課題を解決する。【選択図】    図１
2007068959.tif 000002
【特許請求の範囲】
【請求項１】
シャワーヘッド本体に洗浄する機能を有するものを融合することで、洗浄とシャワーが同一プロセスで展開することができることを特徴とする洗浄を備えたシャワー器具。
【請求項２】
シャワーヘッド本体の握り手部を持って、シャワーヘッド本体の先端の洗浄部が、身体のどの部分にも届いて、シャワーヘッド本体とシャワーホース間がつながれた状態で洗浄できるようにし、身体の大きさに適応した洗浄能力がある、各種サイズのシャワーヘッド本体部を設け、シャワーヘッド本体部を洗浄できやすいように適度な曲線で長くした形状のものにし、シャワーヘッド本体の先端の周囲に、はめ込むカートリッジ式とする、各種洗浄用品をシャワーヘッド本体より突起させた状態で取り付ける構造とし、シャワーヘッド本体とシャワーホース間の接続部を簡易的な抜き差し機構にすることによって、簡単にシャワーヘッド本体の取り付け取り外しができ、シャワーヘッド本体部単品でも洗浄ができようにし、シャワーホースを適度に長くした耐久性のあるもの、フレキシブルなものにすることで、一つのシャワーヘッド本体を利用して、洗浄とシャワーが合理的に併有することを特徴とする請求項１記載の洗浄を備えたシャワー器具。
【発明の詳細な説明】
【技術分野】
【０００１】  本発明は、シャワー器具に関するものであり、シャワーヘッド本体の形状、構造、機能に工夫を加えることによって、シャワーと洗浄を併用するようにし、生活様式の利便性とシャワー器具の潜在機能の発効を図るようにしたものである。
【背景技術】
【０００２】  従来、シャワー器具は、シャワーを浴びるだけと言うのがライフスタイルになっている。
【発明の開示】
【発明が解決しようとする課題】
【０００３】  しかし、従来のようなシャワー器具では、一般的に洗面容器、浴槽と洗浄用品を使用し、身体を洗浄してから別途、シャワー器具でシャワーを浴びる二分化行動が常識化されている。又、身体洗浄時、身体の届きにくい部分があって難儀して、不便さがあるのが現状である。本発明は、これらの不都合を解決することを課題とする。
【課題を解決するための手段】
【０００４】  この課題を解決するための請求項１の発明は、シャワーヘッド本体に洗浄する機能を有するものを融合することで、洗浄とシャワーが同一プロセスで、適正に展開することができるようにするため、シャワーヘッド本体の洗浄部、曲線、長さ、シャワーホースの長さ、耐久性、柔軟性などを最適な形状、構造、機能にし、シャワーヘッド本体とシャワーホース間の接続部を簡易的な抜き差し機構にする。【０００５】  又、請求項２の発明は、シャワーヘッド本体の握り手部を持って、シャワーヘッド本体の先端の洗浄部が、身体のどの部分にも届いて、シャワーヘッド本体とシャワーホース間がつながれた状態で洗浄できるようにし、身体の大きさに適応した洗浄能力がある、各種サイズのシャワーヘッド本体部を設け、シャワーヘッド本体部を洗浄できやすいようにするため、適度な曲線で長くした形状のものにし、シャワーヘッド本体の先端の周囲に、はめ込むカートリッジ式とする、各種洗浄用品をシャワーヘッド本体より突起させた状態で取り付ける構造とし、シャワー器具全体としての洗浄に対して、シャワーヘッド本体とシャワーホース間の接続部を簡易的な抜き差し機構にすることによって、簡単にシャワーヘッド本体の取り付け取り外しができ、シャワーヘッド本体部単品での洗浄とがあり、シャワーヘッド本体部を頻繁にあらゆる方向へ移動しても負担、違和感のないようにすため、シャワーホースを適正な長さにし、適度な耐久性のあるもの、フレキシブルなものにすることで、一つのシャワー器具全体、及び、シャワーヘッド本体を利用して、洗浄とシャワーを合理的に併有することができる。
【発明の効果】
【０００６】  本発明により、一つのシャワー器具のみを使用して、洗浄とシャワーを一元化することで、シャワー器具の活用様式を一変させ、合理的で利便性のあるシャワー器具を提供することができる。【０００７】  シャワーヘッド本体の先端の洗浄部が、身体のどの部分にも届いて洗浄できやすいように、シャワーヘッド本体部全体を適度な曲線で長くした形状のものにすることで、片手で容易に身体全体の洗浄を円滑にすることができる。【０００８】  シャワーヘッド本体部は、利用する身体の小さい人から大きい人まで、各種サイズを自由に選択して使用でき、シャワーヘッド本体部がシャワーホース部の接続部より、簡単に抜き差しができることから、シャワーヘッド本体部単品でも洗浄が可能なので、例えば、親子二人で一つのシャワー器具を一緒に使用する場合、親は一つのシャワー器具で洗浄、シャワーを、子は別シャワーヘッド本体部単品で洗浄、後で一つのシャワー器具でシャワーをする。従って、各自に適応した洗浄能力があるシャワーヘッド本体部を選択でき、又、複数人が一つのシャワー器具で洗浄、シャワーのプロセスを利用しても、能率的な時差で対応することができる。【０００９】  シャワーヘッド本体部を頻繁にあらゆる方向へ移動しても負担、違和感のないようにすため、シャワーホースを適度に長くした耐久性のあるもの、フレキシブルなものにすることで、快適な中で、洗浄のみ、洗浄とシャワーの同時利用、シャワーのみ等の洗浄とシャワーの一体化を楽しむことができる。【００１０】  本発明のシャワー器具においては、シャワーヘッド本体の先端の周囲に、はめ込むカートリッジ式とする、各種洗浄用品をシャワーヘッド本体より突起させた状態で取り付けることで、各種類の洗浄用品を適時に自由な選択が可能であり、必要に応じた洗浄が得られる。【００１１】  本発明の洗浄とシャワーを併有するシャワー器具は、健全者は勿論のこと、特に、幼児、高齢者、片手しか使えない障害者や負傷者などの弱者への負担を大幅に軽減させ緩和することができ、作用効果が大きいものである。【００１２】  シャワー器具の機能範囲が拡大することによって、シャワー器具の利用範囲も増大し、相乗作用としても威力を発揮することができる。
【発明を実施するための最良の形態】
【００１３】  図１は、洗浄を備えたシャワー器具のシャワーヘッド本体部の概略立体外形図で、シャワーヘッド本体の先端の周囲に洗浄用品が挿入され、シャワーヘッド本体の先端より突起した状態であり、シャワーヘッド本体部全体を適度な曲線で長くした形状にしたものである。シャワーホース部を含む、シャワー本体部全体の軽量化を図るようにする。【００１４】  図２は、各種類の洗浄用品の概略立体外形図例で、例えば、スポンジ系、ブラシ系、くし状、その他の洗浄用品を設け、利用に応じてサイズ、柔軟度、形状、材質などのカテゴリーを駆使したものをシャワーヘッド本体と併用するのが標準であるが、各単品で使用することも可能である。【００１５】  シャワーヘッド本体の先端の洗浄部が、片手でシャワーヘッド本体の握り手部を持ち、身体のどの部分にも届いて、シャワーヘッド本体とシャワーホース間が接合された状態で洗浄できるようにし、洗浄できやすいようにするため、シャワーヘッド本体部全体を適度な曲線で長くした形状のものにする。又、シャワーヘッド本体部は利用者に応じて各種サイズを設け、自由に選択することができ、シャワーヘッド本体部がシャワーホース部の接続部より、簡単に抜き差しができるようにし、シャワーヘッド本体部単品でも洗浄が可能なようにする。【００１６】  通常はシャワーヘッド本体部とシャワーホース部間がつながれた状態で、洗浄、シャワーするので、シャワーヘッド本体部を頻繁にあらゆる方向へ移動するのが標準であり、一般的に移動しても負担、違和感のないようにすため、シャワーホースを適正な長さにし、適度な耐久性のあるもの、フレキシブルなものにすることで、洗浄のみ、洗浄とシャワーの同時利用、シャワーのみ等の洗浄とシャワーの一体化を可能にすることができる。【００１７】  本発明のシャワー器具においては、シャワーヘッド本体の先端の周囲に、容易に抜き差しが可能な、はめ込むカートリッジ式とする、各種洗浄用品をシャワーヘッド本体より突起させた状態で取り付けるようにするが、シャワーヘッド本体の外周、内周に各種洗浄用品を固定取り付け式で、シャワーヘッド本体先端より突起する凹凸の手動可変式のものを設置することも可能である。【００１８】  各種洗浄用品には洗浄液（洗浄物質）を手動で注入するが、洗浄液をシャワーヘッド本体に内蔵できるようにし、必要時に洗浄液が出る仕組み、あるいは、外部へ別置きして、連動させるなどの方法もある。【００１９】  シャワーヘッド本体において、シャワーの散水板の各穴を少し大きめにして、目詰まりを緩和するようにし、先端部は各種洗浄用品がない状態でも、角がなく丸く滑らかにする。握り手部は握り易いようにし、洗浄とシャワー時の操作性、バランスが適正になるようにする。又、シャワーホースとの接続部はワンタッチの抜き差し式であるが、ねじの回転式のものにすることもできる。
【産業上の利用可能性】
【００２０】  本発明に係る洗浄を備えたシャワー器具は、工業的に量産する事が可能であるため、産業上の利用可能性を有する。
【図面の簡単な説明】
【００２１】
【図１】    シャワーヘッド本体部の概略立体外形図
【図２】    各種類の洗浄用品の概略立体外形図例
【符号の説明】
【００２２】図中の文字、数字は次の通りである。
Ａ  ：シャワーヘッド本体              Ｅ  ：スポンジ系
Ｂ  ：各種洗浄用品（洗浄部）          Ｆ  ：ブラシ系
Ｃ  ：握り手部                        Ｇ  ：くし状
Ｄ  ：シャワーホースへの接続部        Ｈ  ：洗浄用品盤
【図１】
2007068959.tif 000003
【図２】
2007068959.tif 000004